(57)【要約】      （修正有）【課題】  容器を保持しない場合には、ホルダ本体の前部分がエアコン吹出口からの風を遮らない快適な車両用容器ホルダを提供する。【解決手段】  車両用容器ホルダ２は、容器を載置せしめる底部７と容器を支える背面部８とからなるホルダ本体９と、上記ホルダ本体９にその基部を傾動自在に枢支せしめその遊端部で容器前面を保持する容器前面保持部１１と、上記容器前面保持部１１の上記遊端部を常時上方に付勢せしめるバネと、上記ホルダ本体の背面部に設けたエアコン吹出口接続部４とよりなることを特徴とする。上記容器前面保持部１１の遊端部内面上部および下部を内方に湾曲する。【選択図】  図１
2005075104.tif 000002
【特許請求の範囲】
【請求項１】
容器を載置せしめる底部と容器を支える背面部とからなるホルダ本体と、上記ホルダ本体にその基部を傾動自在に枢支せしめその遊端部で容器前面を保持する容器前面保持部と、上記容器前面保持部の上記遊端部を常時上方に付勢せしめるバネと、上記ホルダ本体の背面部に設けたエアコン吹出口接続部とよりなることを特徴とする車両用容器ホルダ。
【請求項２】
上記容器前面保持部の上記遊端部の揺動範囲を規制せしめるストッパーを更に設けたことを特徴とする請求項１記載の車両用容器ホルダ。
【請求項３】
上記容器前面保持部の上記遊端部内面上部が弧状に湾曲していることを特徴とする請求項１または２記載の車両用容器ホルダ。
【請求項４】
上記容器前面保持部の上記遊端部内面下部が弧状に湾曲していることを特徴とする請求項１、２または３記載の車両用容器ホルダ。
【発明の詳細な説明】
【技術分野】
【０００１】
本発明は車両用容器ホルダ、特に自動車等のエアコン吹出口に取り付けるドリンク缶などを保持する容器ホルダに関するものである。
【背景技術】
【０００２】
従来の車両用容器ホルダとしては特許文献１に示すようなものがある。
【特許文献１】実開平６−６３４３２号公報（図１）
【０００３】
図６は上記従来の車両用容器ホルダを示し、１は車両のエアコン吹出口、２は前面ルーバー部と後面開口とを有する有底筒状の飲料容器ホルダ本体、３は背面部を有する上記ホルダ本体２のベース、４は上記ベース３の背面部に設けた、上記エアコン吹出口１のルーバー５に固定するためのクリップなどのエアコン吸出口接続具、６は飲料容器を保持するため、上記ホルダ本体２の後端上面に傾動自在に取り付けた飲料容器の保持片である。
【０００４】
上記従来の車両用容器ホルダにおいては、上記保持片６により、直径の異なるドリンク缶などの容器をホルダ本体２内に入れても保持片６の作動で容器を確実に保持することができる。
【発明の開示】
【発明が解決しようとする課題】
【０００５】
然しながら、上記従来の車両用容器ホルダにおいては、容器を保持しない場合でも、上記ホルダ本体２の前面ルーパー部がエアコン吹出口からの風を遮ってしまい快適な環境を提供することができなかった。
【０００６】
また、部品点数が多いという欠点があった。
【０００７】
本発明は上記のような欠点を除くようにしたものである。
【課題を解決するための手段】
【０００８】
本発明の車両用容器ホルダは、容器を載置せしめる底部と容器を支える背面部とからなるホルダ本体と、上記ホルダ本体にその基部を傾動自在に枢支せしめその遊端部で容器前面を保持する容器前面保持部と、上記容器前面保持部の上記遊端部を常時上方に付勢せしめるバネと、上記ホルダ本体の背面部に設けたエアコン吹出口接続部とよりなることを特徴とする。
【０００９】
また、本発明の車両用容器ホルダは、上記容器前面保持部の上記遊端部の揺動範囲を規制せしめるストッパーを更に設けたことを特徴とする。
【００１０】
また、上記容器前面保持部の上記遊端部内面上部は、弧状に湾曲していることを特徴とする。
【００１１】
また、上記容器前面保持部の上記遊端部内面下部は、弧状に湾曲していることを特徴とする。
【発明の効果】
【００１２】
本発明の車両用容器ホルダによれば、容器を保持しない時には容器前面保持部が自動的にエアコン吹出口より上方に位置しているので、容器前面保持部がエアコン吹出口からの風を遮らず快適な環境を提供できる。
【００１３】
また、直径の異なる容器であっても容器を自動的に確実に保持することができる。
【００１４】
また、従来の保持片６を省略できたので、部品点数を減らし、コストの低減を図ることができるという大きな利益がある。
【発明を実施するための最良の形態】
【００１５】
以下図面によって本発明の実施例を説明する。
【実施例１】
【００１６】
本発明の車両用容器ホルダは図１〜図５に示すように、飲料容器を載せる底部７と飲料容器を支える背面部８とからなるホルダ本体９と、板状体をＵ字状に湾曲せしめその遊端部１１ａの内面と上記背面部８間に容器１０を挟持し、保持せしめるため、上記ホルダ本体９の背面部８の下部にその両端基部を夫々傾動自在に枢支せしめた容器前面保持部１１と、上記容器前面保持部１１を常時上方に付勢せしめるバネ（図示せず）と、上記容器前面保持部１１の遊端部１１ａの回動位置を規制するストッパー１２と、上記ホルダ本体９の背面部８に設けたエアコン吸出口接続具４と、その端部をエアコン吸出口１の下部に当接せしめてエアコン吸出口に対し上記ホルダ本体９の傾斜角度を調整するため上記底部７に前後方向にスライド自在に設けた当接部１３とよりなり、上記エアコン吹出口接続具４をエアコン吹出口１に係合せしめて上記ホルダ本体９をエアコン吹出口１に固定せしめるようにする。
【００１７】
また、上記Ｕ字状の容器前面保持部１１の遊端部１１ａの内面上部１１ｂ及び下部１１ｃに夫々、例えば半径5mm程度の曲率で内方に膨らむ湾曲面を形成せしめる。
【００１８】
本発明の車両用容器ホルダによれば、容器を保持していない場合には、図１に示すように上記容器前面保持部１１の遊端部１１ａは自動的に上方に傾動しているのでエアコン吹出口からの風を遮ることがない。
【００１９】
また、図５に示すように、容器１０を車両用容器ホルダ内に入れた場合には、バネの付勢力により自動的に上記容器前面保持部１１の遊端部１１ａと背面部８とにより容器１０を挟持し、サイズが異なる容器であっても自動的に最適に保持することができる。
【００２０】
また、容器１０を車両用容器ホルダに入れてないときは、常時容器前面保持部１１の遊端部１１ａが上記ホルダ本体９の背面部８より高い位置としておけば、容器１０を車両用容器ホルダ内に入れる時、容器１０の底は上記背面部８の上面より先に容器前面保持部１１の遊端部１１ａに接触するのでこれにより上記容器前面保持部１１が傾動し、この傾動に併せて、上記容器１０の挿入位置を容易に調整でき、上記容器を上記容器前面保持部１１内に確実に挿入することができるようになる。
【００２１】
また、上記容器前面保持部１１の遊端部１１ａ内面の上部１１ｂを内方に湾曲せしめたので、容器１０を入れるのが容易になる。
【００２２】
また、上記容器前面保持部１１の遊端部１１ａ内面の下部１１ｃを同じく内方に湾曲せしめたので、くびれのある容器などを上記容器前面保持部１１内から取り出す際に、容器前面保持部１１の遊端部１１ａが容器のくびれに引っかかり抜けなくなることを防止することができる。
【００２３】
なお、上記容器前面保持部１１を任意の位置で固定できる固定機構（図示せず）を設けてもよく、容器１０を上記容器前面保持部１１の遊端部１１ａと背面部８とで挟持した状態で、上記固定機構により上記容器前面保持部１１を固定せしめれば、強固に容器を保持したままとすることができる。
【図面の簡単な説明】
【００２４】
【図１】本発明の車両用容器ホルダの側面図である。
【図２】本発明の車両用容器ホルダの縦断側面図である。
【図３】本発明の車両用容器ホルダの平面図である。
【図４】本発明の車両用容器ホルダの背面図である。
【図５】本発明の車両用容器ホルダの側面図である。
【図６】従来の車両用容器ホルダの斜視図である。
【符号の説明】
【００２５】
１    エアコン吹出口
２    飲料容器ホルダ本体
３    ベース
４    エアコン吸出口接続具
５    ルーバー
６    保持片
７    底部
８    背面部
９    ホルダ本体
１０    容器
１１    容器前面保持部
１１ａ  遊端部
１１ｂ  内面上部
１１ｃ  内面下部
１２    ストッパー
１３    当接部
【図１】
2005075104.tif 000003
【図２】
2005075104.tif 000004
【図３】
2005075104.tif 000005
【図４】
2005075104.tif 000006
【図５】
2005075104.tif 000007
【図６】
2005075104.tif 000008